(57)【特許請求の範囲】
【請求項１】
アンテナ素子を介して伝送される信号の伝送線路を構成する信号導体と、
前記信号導体と対向して配置されている誘電体からなる誘電体板と、
前記誘電体板を移動させる移動機構と、を備え、
前記誘電体板の移動により、前記信号導体と前記誘電体板との対向面積が変化し、前記信号導体を伝送される信号の位相が変化する移相器であって、
前記誘電体板の比誘電率が、３．３以上４．３以下であり、
前記誘電体板の移動方向に並んで前記誘電体板に設けられた、前記信号導体と前記誘電体とが対向している重複部側に形成される第２変性器部分と、前記信号導体と前記誘電体板とが対向していない非重複部側に形成される第１変性器部分とからなる変性器部を備え、
前記第１変性器部分は、前記第２変成器部分側に設けられた第１高インピーダンス部と、前記第１高インピーダンス部の前記非重複部側に設けられた前記第１高インピーダンス部よりも特性インピーダンスが低い第１低インピーダンス部と、を備え、
前記誘電体板の移動方向における前記第１変成器部分の前記第１高インピーダンス部及び前記第１低インピーダンス部のそれぞれの長さは、前記非重複部と、前記重複部と前記非重複部の中間の特性インピーダンスとをインピーダンス整合させる長さであり、
前記第２変成器部分は、前記重複部側に設けられた第２高インピーダンス部と、前記第２高インピーダンス部の前記第１変成器部分側に設けられた前記第２高インピーダンス部よりも特性インピーダンスが低い第２低インピーダンス部と、を備え、
前記誘電体板の移動方向における前記第２変成器部分の第２高インピーダンス部及び前記第２低インピーダンス部のそれぞれの長さは、前記中間の特性インピーダンスと前記重複部をインピーダンス整合させる長さである、
移相器。
【請求項２】
前記信号導体を複数備え、
前記複数の信号導体は、信号を入出力する平行な１対の平行部と、前記平行部の端部同士を連結する前記平行部と直交している垂直部と、をそれぞれ有し、
前記複数の信号導体は、全ての前記信号導体の前記平行部が互いに平行となるように同一平面上に２列に整列配置されており、かつ、一方の列の前記信号導体と、対応する他方の列の前記信号導体とは、前記垂直部同士が対向するように配置されており、
前記誘電体板は、全ての前記信号導体と対向しており、
前記移動機構は、前記誘電体板を前記平行部の長手方向に沿って移動させる、
請求項１に記載の移相器。
【請求項３】
前記変成器部は前記誘電体板の移動方向における前記誘電体板の両端部に設けられており、
全ての前記信号導体での移相量が等しくなる基準位置に前記誘電体板を配置した際に、任意の前記信号導体における前記重複部の前記移動方向に沿った長さが、当該任意の信号導体と対向している前記変成器部の前記移動方向に沿った長さよりも長い、
請求項２に記載の移相器。
【請求項４】
前記第１及び第２高インピーダンス部は、空気層からなり、
前記第１及び第２低インピーダンス部は、前記誘電体板と同じ厚さで、かつ前記誘電体板と同じ材料の誘電体層からなる、
請求項１乃至３の何れか１つに記載の移相器。
【請求項５】
請求項１乃至４の何れか１つに記載の移相器を備えた、
アンテナ装置。
【発明の詳細な説明】
【技術分野】
【０００１】
本発明は、移相器及びアンテナ装置に関する。
【背景技術】
【０００２】
従来、アンテナ素子を介して送信又は受信される信号の位相を調節することが可能な移相器が、例えば携帯電話機用の基地局アンテナに用いられている（例えば、特許文献１参照）。
【０００３】
特許文献１に記載の移相器は、トリプレート線路内導体をコの字とし、トリプレート線路地導体と内導体間に誘電体板を可動可能に挿入している。この移相器では、誘電体板を移動させることにより、内導体と誘電体板の重複面積が変化する。そして、この重複面積が変化することによってトリプレート線路における実効誘電率が変化し、これに伴って電気線路長が変化するため、内導体を伝搬する信号の位相が変化する。
【０００４】
従来の移相器では、移相器全体の小型化等のため、誘電体板の比誘電率を比較的高く（具体的には、比誘電率を７〜１５程度に）設定し、誘電体板の移動量に対する移相量（位相の変化量）を大きくすることが一般的であった。
【先行技術文献】
【特許文献】
【０００５】
【特許文献１】特開平１１−２０５００２号公報
【発明の概要】
【発明が解決しようとする課題】
【０００６】
しかしながら、従来の移相器では、誘電体板の比誘電率が高く設定されているために、例えば振動による撓みの発生等により誘電体板と内導体との距離が変化した際に、移相量のずれが大きくなってしまうという問題があった。また、何らかの理由で誘電体板の移動量に誤差が生じた場合にも、移相量のずれが大きくなってしまうという問題もある。
【０００７】
さらに、従来の移相器では、誘電体板の比誘電率が高く設定されているため、例えば振動による撓みの発生等により誘電体板と内導体とが接触した際に、Ｉｎｔｅｒ  Ｍｏｄｕｌａｔｉｏｎ（相互変調）不良（以下、ＩＭ不良という）が発生し、送信信号が受信信号に影響を与えたり、ＶＳＷＲの劣化が生じたりするおそれもあった。
【０００８】
そこで、本発明は、移相量のずれやＩＭ不良を抑制可能な移相器及びアンテナ装置を提供することを目的とする。
【課題を解決するための手段】
【０００９】
本発明は、上記課題を解決することを目的として、アンテナ素子を介して伝送される信号の伝送線路を構成する信号導体と、前記信号導体と対向して配置されている誘電体からなる誘電体板と、前記誘電体板を移動させる移動機構と、を備え、前記誘電体板の移動により、前記信号導体と前記誘電体板との対向面積が変化し、前記信号導体を伝送される信号の位相が変化する移相器であって、前記誘電体板の比誘電率が、３．３以上４．３以下である、移相器を提供する。
【００１０】
また、本発明は、上記課題を解決することを目的として、前記移相器を備えた、アンテナ装置を提供する。
【発明の効果】
【００１１】
本発明によれば、移相量のずれやＩＭ不良を抑制可能な移相器及びアンテナ装置を提供できる。
【図面の簡単な説明】
【００１２】
【図１】本発明の一実施の形態に係る移相器を示す図であり、（ａ）は一方の地導体を省略した平面図、（ｂ）は（ａ）のＡ−Ａ線断面図である。
【図２】図１の移相器を用いたアンテナ装置の概略構成図である。
【図３】本発明の他の実施の形態に係る移相器を示す図であり、一方の地導体を省略した平面図である。
【図４】図１の移相器を用いたアンテナ装置の概略構成図である。
【発明を実施するための形態】
【００１３】
［実施の形態］
以下、本発明の実施の形態を添付図面にしたがって説明する。
【００１４】
図１は、本実施の形態に係る移相器を示す図であり、（ａ）は一方の地導体を省略した平面図、（ｂ）は（ａ）のＡ−Ａ線断面図である。
【００１５】
図１（ａ），（ｂ）に示すように、移相器１は、図略のアンテナ素子を介して伝送される信号の伝送線路を構成する信号導体２と、信号導体２と対向して配置されている誘電体からなる誘電体板３と、誘電体板３を移動させる図略の移動機構と、を備えている。
【００１６】
信号導体２は、電気良導体からなる板状の部材からなる。本実施の形態では、信号導体２は、信号を入出力する平行な１対の平行部２ａと、平行部２ａの端部同士を連結する平行部２ａと直交している垂直部２ｂと、を有しており、全体として平面視で略コの字形状に形成されている。平行部２ａと垂直部２ｂとの接続部は、面取りがなされた形状となっている。
【００１７】
なお、本実施の形態では、信号導体２として電気良導体からなる板状の部材を用いたが、これに限らず、信号導体２はガラスエポキシ等からなる誘電体基板の両面に形成された配線パターン（マイクロストリップライン）で構成されてもよく、また、フィルム状の基板の一方の面に形成された配線パターンで構成されてもよい。
【００１８】
また、移相器１は、誘電体板３の信号導体２と反対側に配置される地導体４を備えている。地導体４は、電気良導体からなる板状の部材からなる。本実施の形態では、移相器１を、信号導体２を上下から挟み込むように２枚の地導体４を設けたトリプレート構造としている。以下、信号導体２の上方（図１（ｂ）の上側）に配置される地導体４を第１地導体４ａと呼称し、信号導体２の下方（図１（ｂ）の下側））に配置される地導体４を第２地導体４ｂと呼称する。なお、図１（ａ）では、第１地導体４ａを省略した上面図を示している。
【００１９】
誘電体板３は、平面視で矩形状の板状の部材からなる。本実施の形態では、誘電体板３は、信号導体２を上下から挟み込むように配置される第１誘電体板３ａと第２誘電体板３ｂとからなる。第１誘電体板３ａは、信号導体２と第１地導体４ａとの間に配置され、第２誘電体板３ｂは、信号導体２と第２地導体４ｂとの間に配置される。両誘電体板３ａ，３ｂは、信号導体２と地導体４の直近に形成される電界の影響を受けないように、信号導体２および地導体４から離間して配置されている。つまり、第１誘電体板３ａは、信号導体２および第１地導体４ａから離間して配置され、第２誘電体板３ｂは、信号導体２および第２地導体４ｂから離間して配置されている。
【００２０】
両誘電体板３ａ，３ｂは、図示しない連結部材により連結されている。誘電体板３ａ，３ｂは、図略のＤＣモータ等の移動機構により、図１における左右方向に移動可能に構成されている。
【００２１】
以下、移相器１における信号導体２と誘電体板３とが重なり合う部分を重複部５、信号導体２と誘電体板３とが重なり合わない部分を非重複部６と呼称する。非重複部６は、信号導体２と地導体４とが空気層を介して対向する部分である。
【００２２】
移相器１では、誘電体板３を移動機構により移動させ、信号導体２と誘電体板３との対向面積（重複部５の面積）を変化させることで、信号導体２を伝送される信号の位相を変化させるように構成されている。移相器１では、重複部５の面積が大きくなるほど信号の位相が遅れ、重複部５の面積が小さくなるほど信号の位相が進むことになる。よって、図１の場合、ある基準位置から図示左側（平行部２ａにおける信号の入出力側）に誘電体板３を移動させることで、信号の位相を基準位置における位相よりも遅らせ、基準位置から図示右側（垂直部２ｂ側）に誘電体板３を移動させることで、信号の位相を基準位置における位相よりも進めることができる。誘電体板３の移動範囲は予め設定されており、移相器１では、この移動範囲内で誘電体板３を移動させることにより、重複部５の面積を変化させて信号の位相を変化させるように構成されている。
【００２３】
本実施の形態に係る移相器１では、誘電体板３の移動方向（図１の左右方向）における誘電体板３の両端部（つまり重複部５と非重複部６の境界部分）に設けられており、重複部５と非重複部６との間でインピーダンスを整合させるための変成器部（トランス部）７を備えている。なお、本実施の形態では、誘電体板３の一部を加工することで変成器部７を形成しているが、変成器部７は誘電体板３の一部ではなく、誘電体板３とは別部材として取り扱う。すなわち、変成器部７と信号導体２とが重なり合う部分は、重複部５に含まれない。
【００２４】
本実施の形態では、入力側および出力側の信号導体２（平行部２ａ）が同じ方向（図示左方向）に延出されているため、誘電体板３における信号導体２の延出側（図示左側）の端部に、入力側と出力側とで共通の変成器部７を形成している。なお、変成器部７は、信号の入力側と出力側とで個別に設けられていても構わない。変成器部７は、第１誘電体板３ａと第２誘電体板３ｂの両方にそれぞれ設けられる。
【００２５】
また、変成器部７は、誘電体板３を設定された移動範囲内で移動させたとき、常に誘電体板３の信号の入力側および出力側の端部（重複部５と非重複部６の間）に位置するように構成されている。ここでは、誘電体板３の信号導体２の延出側の端部に変成器部７を形成しており、かつ、信号導体２の延出方向に沿って誘電体板３を移動させるように移相器１を構成しているため、変成器部７は、誘電体板３を図示左右方向に移動させた場合であっても、必ず誘電体板３の信号の入力側および出力側の端部に位置することになる。
【００２６】
移相器１では、変成器部７を２段構成としている。非重複部６側に形成される変成器部７を第１変成器部７１、重複部５側に形成される変成器部７を第２変成器部７２と呼称する。
【００２７】
第１変成器部７１は、重複部５側（第２変成器部７２側）に設けられた第１高インピーダンス部７１ａと、第１高インピーダンス部７１ａの非重複部６側に設けられた第１高インピーダンス部７１ａよりも特性インピーダンスが低い第１低インピーダンス部７１ｂと、を備えている。第１高インピーダンス部７１ａにおける信号導体２と地導体４間の実効誘電率は、第１低インピーダンス部７１ｂにおける信号導体２と地導体４間の実効誘電率よりも低い。
【００２８】
第２変成器部７２は、重複部５側に設けられた第２高インピーダンス部７２ａと、第２高インピーダンス部７２ａの非重複部６側（第１変成器部７１側）に設けられた第２高インピーダンス部７２ａよりも特性インピーダンスが低い第２低インピーダンス部７２ｂと、を備えている。第２高インピーダンス部７２ａにおける信号導体２と地導体４間の実効誘電率は、第２低インピーダンス部７２ｂにおける信号導体２と地導体４間の実効誘電率よりも低い。
【００２９】
移相器１では、第１変成器部７１は、その両インピーダンス部７１ａ，７１ｂの長さＬａ，Ｌｂを調整することで、非重複部６と、重複部５と非重複部６の中間の特性インピーダンス（中間特性インピーダンスと呼称する）とをインピーダンス整合させるように構成される。第２変成器部７２は、その両インピーダンス部７２ａ，７２ｂの長さＬｃ，Ｌｄを調整することで、中間特性インピーダンスと重複部５とをインピーダンス整合させるように構成される。なお、ここでは変成器部７を２段構成としているが、１段構成としてもよい。
【００３０】
本実施の形態では、高インピーダンス部７１ａ，７２ａは空気層からなり、低インピーダンス部７１ｂ，７２ｂは、誘電体板３と同じ厚さで、かつ、誘電体板３と同じ材料の誘電体層からなる。ここでは、誘電体板３に形成した２つの貫通孔８を高インピーダンス部７１ａ，７２ａとし、貫通孔８と誘電体板３の端部との間、及び両貫通孔８の間の誘電体板３を低インピーダンス部７１ｂ，７２ｂとして変成器部７を構成した。なお、ここでは貫通孔８を矩形状に形成したが、貫通孔８の形状はこれに限定されるものではない。また、貫通孔８は、誘電体板３の側方（図１（ａ）における上方あるいは下方）に開口した切欠きであってもよい。
【００３１】
本実施の形態に係る移相器１では、誘電体板３の比誘電率を、３．３以上４．３以下としている。
【００３２】
つまり、移相器１では、従来誘電体板として一般に用いられてきた比誘電率の高い（７〜１５程度）誘電体と比較して、より比誘電率が小さい誘電体を用いて誘電体板３を構成している。
【００３３】
誘電体板３の比誘電率を３．３以上４．３以下と小さくすることにより、例えば振動による撓みの発生等により誘電体板３と信号導体２との距離が変化した場合であっても、移相量のずれを小さく抑えることが可能になる。また、誘電体板３の比誘電率を小さくすることにより、誘電体板３の移動量に対する移相量の変化が小さくなるため、何らかの理由で誘電体板３の移動量に誤差が生じた場合であっても、移相量のずれを小さく抑えることが可能になる。
【００３４】
さらに、誘電体板３の比誘電率を３．３以上４．３以下と小さくすることにより、例えば振動による撓みの発生等により誘電体板３と信号導体２とが接触した場合であっても、ＩＭ不良が発生しにくくなる。よって、送信信号が受信信号に影響を与えることや、ＶＳＷＲの劣化を抑制することが可能になる。
【００３５】
なお、誘電体板３の比誘電率を３．３未満とした場合、誘電体板３の移動量に対する移相量の変化が小さくなりすぎるため、誘電体板３が大型化すると共に誘電体板３の移動量が増大し、誘電体板３をアンテナ装置に収容可能なサイズ・移動量とした際に、必要な移相量を確保できなくなるおそれがある。また、誘電体板３の比誘電率を４．３よりも大きくした場合、上述の移相量のずれを抑制する効果、及びＩＭ不良の発生を抑制する効果を十分に得ることができなくなる。
【００３６】
誘電体板３に用いる誘電体としては、ガラス繊維に絶縁樹脂を含浸させ半硬化させた基材（Ｆｘ−II基材）や、熱硬化性樹脂／セラミックフィラー・ガラスクロスのコンポジット基材（Ｒｏ基材）を用いることができる。
【００３７】
次に、移相器１を用いたアンテナ装置について説明する。
【００３８】
図２に示すように、アンテナ装置４１は、高周波信号が入力される入力端子４２と、入力端子４２に入力された信号を分配する第１分配線路４４ａと、第１分配線路４４ａによって分配された信号をさらに分配する第２分配線路４４ｂと、第２分配線路４４ｂによって分配された信号をさらに分配する第３分配線路４４ｃと、第３分配線路４４ｃの端末部に接続されたアンテナ素子４３と、を備えている。各分配線路４４ａ〜４４ｃは１入力２出力の線路構成となっており、第３分配線路４４ｃの端末部には合計８個のアンテナ素子４３ａ〜４３ｈがそれぞれ接続されている。
【００３９】
第１分配線路４４ａと第２分配線路４４ｂとの間、及び第２分配線路４４ｂと第３分配線路４４ｃとの間には、それぞれ移相器１が設けられている。ここでは、第１分配線路４４ａと第２分配線路４４ｂとの間の２箇所と、第２分配線路４４ｂと第３分配線路４４ｃとの間の４箇所に、合計６個の移相器１ａ〜１ｆが設けられている。
【００４０】
第１分配線路４４ａと第２分配線路４４ｂとの間に設けられる移相器１ａ，１ｂ、第２分配線路４４ｂと第３配線路４４ｃとの間に設けられる移相器１ｃ，１ｄおよび移相器１ｅ，１ｆは、ペアとして用いられ、ペアの一方の移相器１ａ，１ｃ，１ｅが所定の移相量で位相を進ませるとき、ペアの他方の移相器１ｂ，１ｄ，１ｆは同じ移相量で位相を遅らせるように構成されている。ここでは、移相器１ａ，１ｂ、移相器１ｃ，１ｄ、および移相器１ｅ，１ｆの各ペアの移相器１において、ペアを構成する移相器１を誘電体板３の移動方向に互いに反転して配置すると共に、両者の誘電体板３を連結して共に移動するように構成することで、ペアを構成する移相器１の一方では位相を進めさせ、他方では位相を遅れさせる差動の移相器を構成した。
【００４１】
アンテナ装置４１では、移相器１ａ〜１ｆによって信号の位相を変化させることにより、アンテナ素子４３ａ〜４３ｈから放射される電波の指向性（電気チルト角）を調節することが可能である。なお、ここでは、８個のアンテナ素子４３（４３ａ〜４３ｈ）と、６個の移相器１（１ａ〜１ｆ）を用いる場合を説明したが、アンテナ素子４３や移相器１の数は一例であり、図示のものに限定されない。
【００４２】
（他の実施の形態）
図３に示す移相器１０は、複数の図１の移相器１を一体化したものである。
【００４３】
移相器１０は、信号導体２を複数備えている。複数の信号導体２は、全ての信号導体２の平行部２ａが互いに平行となるように同一平面上に２列に整列配置されており、かつ、一方の列の信号導体２と、対応する他方の列の信号導体２とは、垂直部２ｂ同士が対向するように配置されている。一方の列の信号導体２における平行部２ａの延出方向と、他方の列の信号導体２における平行部２ａの延出方向とは、逆方向（図示右方向および左方向）となっている。ここでは、各列に４つずつ、合計８つの信号導体２を有する場合を説明するが、信号導体２の数はこれに限定されない。また、各列の信号導体２の数が異なっていてもよい。
【００４４】
誘電体板３は、全ての信号導体２と対向するように、信号導体２と地導体４との間に設けられている。誘電体板３は、移動機構により、平行部２ａの長手方向に沿って（図示左右方向に）移動される。
【００４５】
以下、全ての信号導体２での移相量が等しくなる誘電体板３の位置を基準位置と呼称する。例えば、誘電体板３を基準位置から図示右側に移動させると、図示右側の列の信号導体２では重複部５の面積が増大して位相が遅れ、図示左側の列の信号導体２では重複部５の面積が減少して位相が進むことになる。
【００４６】
移相器１０では、信号導体２の平行部２ａが誘電体板３の左右に延出されているため、誘電体板３の左右の端部（誘電体板３の移動方向における両端部）に、それぞれ変成器部７が設けられている。ここでは、各信号導体２に個別に貫通孔８を形成して変成器部７を形成しているが、例えば各列の信号導体２で共通の貫通孔を形成してもよい。
【００４７】
移相器１０では、上述の移相器１と同様に、誘電体板３の比誘電率が３．３以上４．３以下と小さく設定されている。そのため、従来の比誘電率が高い誘電体板を用いた場合と比較して、重複部５の面積が大きく設定されている。
【００４８】
具体的には、基準位置に誘電体板３を移動させた際に、任意の信号導体２における重複部５の移動方向（平行部２ａの長手方向）に沿った長さＸが、当該任意の信号導体２と対向している変成器部７の移動方向（平行部２ａの長手方向）に沿った長さＹよりも長い。また、任意の信号導体２における重複部５の面積は、当該任意の信号導体２における信号導体２と変成器部７とが重なり合う面積よりも大きい。
【００４９】
図４に示すように、移相器１０を用いたアンテナ装置５１では、入力端子４２から入力された信号を分配して各列の１段目の信号導体２に出力する第１分配線路５２ａと、各列の１段目と２段目の信号導体の間に設けられる２つの第２分配配線５２ｂと、各列の２段目と３段目の信号導体２の間に設けられる２つの第３分配配線５２ｃと、各列の第２段目と第３段目の信号導体２の間に設けられる２つの第４分配配線５２ｄと、を備えている。各分配配線５２ａ〜５２ｄは、１入力２出力の線路構成となっている。
【００５０】
第２分配配線５２ｂは、その入力が１段目の信号導体２の出力に接続され、その一方の出力が２段目の信号導体２の入力に接続され、その他方の出力が第１端子５３ａに接続されている。第１端子５３ａには第１ケーブル５４ａの一端が接続されており、第１ケーブル５４ａの他端はアンテナ側基板５５を介してアンテナ素子４３ｄ，４３ｅに接続されている。なお、ここでは、鉛直方向に８つのアンテナ素子４３ａ〜４３ｈが順次配置されているとする。
【００５１】
第３分配配線５２ｃは、その入力が２段目の信号導体２の出力に接続され、その一方の出力が３段目の信号導体２の入力に接続され、その他方の出力が第２端子５３ｂに接続されている。第２端子５３ｂには第２ケーブル５４ｂの一端が接続されており、第２ケーブル５４ｂの他端はアンテナ側基板５５を介してアンテナ素子４３ｃ，４３ｆに接続されている。
【００５２】
第４分配配線５２ｄは、その入力が３段目の信号導体２の出力に接続され、その一方の出力が４段目の信号導体２の入力に接続され、その他方の出力が第３端子５３ｃに接続されている。第３端子５３ｃには第３ケーブル５４ｃの一端が接続されており、第３ケーブル５４ｃの他端はアンテナ側基板５５を介してアンテナ素子４３ｂ，４３ｇに接続されている。
【００５３】
４段目の信号導体２の出力は、第４端子５３ｄに接続されている。第３端子５３ｄには第４ケーブル５４ｄの一端が接続されており、第４ケーブル５４ｄの他端はアンテナ側基板５５を介してアンテナ素子４３ａ，４３ｈに接続されている。
【００５４】
なお、図４では分配配線５２ａ〜５２ｄが移相器１０に内蔵されている場合を示しているが、分配配線５２ａ〜５２ｄの一部または全部が移相器１０と別体に構成されていてもよい。分配配線５２ａ〜５２ｄを移相器１０に内蔵することで、アンテナ装置５１の構成をより簡略化し、アンテナ装置５１の組み付け作業の作業性を向上できる。
【００５５】
移相器１０によれば、共通の誘電体板３を用いているため、移動機構を含む移相器１０の構成をより簡略化でき、移相器１０の低コスト化に寄与する。また、誘電体板３の比誘電率を３．３以上４．３以下と小さくした場合であっても、各信号導体２に対応する誘電体板３を一体とすることで、各信号導体に対応する誘電体板３を別体とした場合と比較して移相器１０全体のサイズを小型に抑えることが可能になる。
【００５６】
（実施の形態の作用及び効果）
以上説明したように、移相器１，１０では、誘電体板３の比誘電率を３．３以上４．３以下としているため、例えば振動による撓みが発生した場合や、誘電体板３の移動量に誤差が生じた場合であっても、移相量のずれを小さく抑えることが可能になる。また、誘電体板３の比誘電率を３．３以上４．３以下とすることで、誘電体板３と信号導体２とが接触した場合であっても、ＩＭ不良が発生しにくくなり、送信信号が受信信号に影響を与えることや、ＶＳＷＲの劣化を抑制することが可能になる。
【００５７】
また、複数の信号導体２に対応する誘電体板３を一体化することによって、移相器１０全体の構成をより簡略化でき、誘電体板３の比誘電率を３．３以上４．３以下と小さくした場合であっても、移相器１０の大型化を抑制することが可能になる。
【００５８】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５９】
［１］アンテナ素子（４３）を介して伝送される信号の伝送線路を構成する信号導体（２）と、前記信号導体（２）と対向して配置されている誘電体からなる誘電体板（３）と、前記誘電体板（３）を移動させる移動機構と、を備え、前記誘電体板（３）の移動により、前記信号導体（２）と前記誘電体板（３）との対向面積が変化し、前記信号導体（２）を伝送される信号の位相が変化する移相器（１）であって、前記誘電体板（３）の比誘電率が、３．３以上４．３以下である、移相器（１）。
【００６０】
［２］前記信号導体（２）を複数備え、前記複数の信号導体（２）は、信号を入出力する平行な１対の平行部（２ａ）と、前記平行部（２ａ）の端部同士を連結する前記平行部（２ａ）と直交している垂直部（２ｂ）と、をそれぞれ有し、前記複数の信号導体（２）は、全ての前記信号導体（２）の前記平行部（２ａ）が互いに平行となるように同一平面上に２列に整列配置されており、かつ、一方の列の前記信号導体（２）と、対応する他方の列の前記信号導体（２）とは、前記垂直部同士が対向するように配置されており、前記誘電体板（３）は、全ての前記信号導体（２）と対向しており、前記移動機構は、前記誘電体板（３）を前記平行部（２ａ）の長手方向に沿って移動させる、［１］に記載の移相器（１０）。
【００６１】
［３］前記誘電体板（３）の移動方向における前記誘電体板（３）の両端部に設けられており、前記信号導体（２）と前記誘電体（３）とが対向している重複部（５）と前記信号導体（２）と前記誘電体板（３）とが対向していない非重複部（６）との間でインピーダンスを整合させるための変成器部（７）を備え、全ての前記信号導体（２）での移相量が等しくなる基準位置に前記誘電体板（３）を配置した際に、任意の前記信号導体（２）における前記重複部（５）の前記移動方向に沿った長さが、当該任意の信号導体（２）と対向している前記変成器部（７）の前記移動方向に沿った長さよりも長い、［２］に記載の移相器（１０）。
【００６２】
［４］前記変成器部（７）は、空気層と、前記空気層の前記非重複部（６）側に設けられており、前記誘電体板（３）と同じ厚さで、かつ前記誘電体板（３）と同じ材料の誘電体層からなる、［３］に記載の移相器（１０）。
【００６３】
［５］［１］乃至［４］の何れか１つに記載の移相器（１，１０）を備えた、アンテナ装置（４１，５１）。
【００６４】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６５】
本発明は、その趣旨を逸脱しない範囲で適宜変形して実施することが可能である。
【符号の説明】
【００６６】
１…移相器
２…信号導体
２ａ…平行部
２ｂ…垂直部
３…誘電体板
４…地導体
５…重複部
６…非重複部
７…変成器部
【図１】
0006735029.tif 000002
【図２】
0006735029.tif 000003
【図３】
0006735029.tif 000004
【図４】
0006735029.tif 000005